(57)【要約】販売台には、物品を収容するための物品収容スペース（４）と、４本の支柱（１）と、物品収容スペースの物品を支持するための底部（７）とが備えられる。支柱には、物品収容スペースの側方の輪郭面を画する４枚の側壁（５）が取り付けられる。少なくとも1つの側壁（５）には、少なくとも1つの支柱（１）の上端にある抜き部（１７）に上方から掛け止め可能な下向きのフック形屈曲部（１９）が備えられる。側壁（５）またはその一部分（１３）について、シンプルな操作により抜き部（１７）との掛け止めを外して折り畳むことができる。また、さらなる数回の操作だけで、販売台を完全にばらばらにするか、または、再度組み立てることができる。抜き部（１７）及び屈曲部（１９）は、販売台における、製造が容易で頑丈な構成部分であり、側壁と支柱１との間に頑丈で剛直な接続を実現する。【選択図】図１
2013528078.tif 000002
【特許請求の範囲】
【請求項１】
物品を収容するための物品収容スペース（４）を有する販売台であって、
複数の支柱（１）と、
物品収容スペース中の物品を支持するための底部（７）と、
複数の支柱に固定されて、物品収容スペースの側方の輪郭面を画する側壁（５）と、
を備える販売台において、
側壁（５）には、少なくとも１つの支柱（１）の上端の抜き部（１７，１１７）に上方から掛け止め可能な下向きのフック形屈曲部（１９）が備えられることを特徴とする販売台。
【請求項２】
少なくとも１本の支柱（１）が中空形材として形成され、
抜き部（１７，１１７）は、中空形材の壁に形成されて、支柱の上端にて上方へと開いている請求項１に記載の販売台。
【請求項３】
側壁（５）に備えられる上側水平ワイヤ（１６）は、屈曲部（１９）を形成するように端部が下向きに曲げられている請求項１または２に記載の販売台。
【請求項４】
側壁（５）に備えられる下側水平ワイヤ（１４）は、端部が、支柱（１）の長孔（１５，１１５）に係合しており、これにより、側壁（５）は、長孔（１５，１１５）に沿って、持ち上げまたは引き下げが可能であり、このようにして、屈曲部（１９）は、抜き部（１７，１１７）に対する掛け止めから外れ出るか、または、該抜き部（１７，１１７）に掛け止めされることが可能である請求項１〜３のいずれかに記載の販売台。
【請求項５】
少なくとも１本の支柱（１）の上端に取り付けられるキャップ（８）が備えられる請求項１〜４のいずれかに記載の販売台。
【請求項６】
キャップ（８）には、抜き部（１１７）を上方から覆う蓋板（２０）が備えられる請求項５に記載の販売台。
【請求項７】
キャップ（８）に備えられる蓋板（２０）には、抜き部（１７）の箇所に切り取り部（２２）が備えられ、これにより、フック形屈曲部（１９）は、切り取り部（２２）を通じて、抜き部（１７）から上方へ取り外し可能である請求項５に記載の販売台。
【発明の詳細な説明】
【技術分野】
【０００１】
本発明は、物品を受け入れるための物品収容スペースを備えた販売台に関する。特には、特売物品陳列台に関する。
【背景技術】
【０００２】
既知の販売台の例は、ドイツ実用新案公開202 02 212U1に示されている。この販売台は、矩形中空形材の４本の支柱を備えており、これら支柱が、1つの枠材により相互に接続されている。この既知の販売台における物品収容スペースは、支柱に取り付けられる、ワイヤ格子からなる側壁と、この側壁にフック係止される水平のワイヤ格子からなる底部とにより画されている。
【０００３】
この種の販売台が、店舗での特売品や特別セール物品の陳列に用いられる。このようなセール物品は、しばしば入れ替えられる。そのため、小売店において、この種の販売台は、しばしば、移し替えられるか、または、完全に分解されてから、再使用時に再び組み立てられる。次の使用時までの間に、容易かつ省スペースな具合に販売台を保管可能とするためには、販売台は、容易に分解可能であるかまたは折り畳み可能でなければならず、このために、特殊な工具を用いる必要があってはならない。また、次のようであると望ましい。すなわち、側壁は、物品収容スペース中における深い位置にある物品に簡単にアクセスできるようにすべく、少なくとも一部が、引き下げ可能か、または、折り返し可能に形成されるのが望ましい。
【０００４】
しかしながら、側壁が折り返し可能または取り外し可能である既知の販売台は、側壁を取り付けるための、むだの多い機構を備えており、製造費用が高く操作が難しい。
【先行技術文献】
【特許文献】
【０００５】
【特許文献１】米国特許US6457595
【特許文献２】オランダ特許出願公開NL9200353A
【発明の概要】
【発明が解決しようとする課題】
【０００６】
そのため、本発明の根底をなす課題は、シンプルな方式にて側壁の取り付け及び取り外しが可能である販売台であって、安価に製造できるものを提供することにある。
【課題を解決するための手段】
【０００７】
上記課題は、請求項１による販売台によって解決される。請求項１によれば、販売台の少なくとも１本の支柱が上端に抜き部を有しており、この抜き部に、側壁のフック形屈曲部を、嵌め込んで掛け止めを行うことができる。このような屈曲部と抜き部は製造が容易である。側壁は、簡単な手での操作により、掛け止めされて取り付けられ、また、掛け止めが外される。これら側壁は、早くから側壁の重量により、掛け止めされた状態に保たれている。意図せずして掛け止めが外れるおそれは、次の理由から少ない。すなわち、使用時の側壁への負荷は、どちらかというと、客がたまたま側壁に寄り掛かることによって引き起こされるのであり、側壁が思いがけなく持ち上げられることは実際にはない。このような理由から少ない。
【０００８】
各従属請求項は、本発明の好ましい実施形態に関するものである。
【０００９】
請求項２の販売台の支柱は、頑丈で製造が容易である。
【００１０】
請求項３及び４の実施形態は、販売台の側壁がワイヤ格子から作られるならば、特に好ましい。
【００１１】
請求項５に記載された、販売台の支柱の上端に取り付けられるキャップは、支柱に存在しうる鋭角状の隅角部を被覆して好ましい外観にする。請求項６の選択肢の形態によると、キャップは、側壁を掛け止めするための抜き部をも閉じるのであり、側壁が思いがけずに掛け止めから外れるのを防ぐ。請求項６の形態は、特には、販売台が分解されるときにのみ、側壁を掛け止めから外す必要がある場合に適している。請求項７の選択肢の形態によると、キャップは、側壁を掛け止めから外すのを妨げない。請求項７の形態は、特には、側壁を掛け止めから外すことが可能な場合に適している。すなわち、側壁が折り返されるか、または引き下げられ、この結果、物品収容スペース中の深い位置にある物品に対するアクセスが実現されるという場合に適している。
【図面の簡単な説明】
【００１２】
【図１】販売台の側面図である。
【図２】販売台の支柱の側面図である。
【図３】販売台の詳細図である。販売台の側壁における下方を向いたフック形屈曲部と、支柱の上端における上方へと開いた抜き部とが噛み合っている。
【図４】支柱の上端に嵌め込まれるキャップを示す。
【発明を実施するための形態】
【００１３】
図面には、本発明の販売台の好ましい実施形態を示す。図１に示された販売台は、４本の垂直支柱１を備え、これら支柱１がいずれも、鋼製で中空矩形断面形材（断面がボックス状の形材）からなる。これら支柱１が１つの枠材２にネジ止めされており、この枠材２が、支柱１を相互に接続する。この枠材２には、販売台を移動可能にするためのキャスター３が取り付けられている。
【００１４】
販売台は、４枚の垂直側壁５により画される物品収容スペース４を備える。各側壁５は、隣り合う２本の支柱１の間に配置され、これら支柱１に固定されている。これら側壁５は、鋼よりなる複数の水平ワイヤ及び垂直ワイヤを有するワイヤ格子から作られている。
【００１５】
側壁５における一番下の水平ワイヤ６は、やはりワイヤ格子から作られた底部７を支持している。
【００１６】
各支柱１には、上方より、樹脂からなるキャップ８が嵌め込まれる。このようにして、中空形材の内部空間を外から仕切るのであり、これにより、存在しうる鋭いエッジを被覆し、また、滑らかな視覚的外観を与える。
【００１７】
図１中に示された側壁５は、互いに別体の２つの部分９，１３から形成されている。側壁５の下方部分９に備えられる２つの水平ワイヤ６，１０は、両端部が、支柱１の中空形材における隣接する壁１８に開けられた孔１１，１２に、噛み合わされている。図２に描かれた支柱１の側面図においては、孔１，１２が、側壁５の側から見た状態で示されている。このような噛み合わせは、側壁５の下方部分９を、ほぼ、遊びなしに、位置ズレ不能に、支柱１に固定する。
【００１８】
側壁５の上方部分１３に備えられる１つの下側の水平ワイヤ１４は、両端部が、それぞれ、支柱１の中空形材における隣接する壁１８に開けられた対応する長孔１５に、噛み合わされている。側壁５の上方部分１３における１つの上側の水平ワイヤ１６は、両端部が、それぞれ、支柱１の中空形材における側壁５側の壁１８の上端部に設けられた対応する抜き部１７に、噛み合わされている。長孔１５および抜き部１７は、図２中において、支柱１の中空形材における側壁５側の壁１８を、向かって見た状態で示されている。
【００１９】
図２中にさらに示されているように、長孔１５の長手方向は垂直であり、壁１８の抜き部１７は上方へ向かって開いている。したがって、側壁５の上方部分１３は、長孔１５の長さに相当するだけ、上方へと持ち上げることができる。すなわち、上側ワイヤ１６が上向きに抜き部１７から離れ、抜き部１７から外されるだけ持ち上げることができる。このように持ち上げられた位置・姿勢にて、上方部分１３は、回転軸としての下方ワイヤ１４を中心に回転することができ、下方へと折り畳まれて、下方部分９と平行にぶら下げられるまで回転することができる。このように側壁５の上方部分１３が折り畳まれた（不図示の）位置・姿勢にあるときには、物品収容スペースの底部７に載っている下側の物品へのアクセスが容易となる。
【００２０】
図３には、側壁５の上方部分１３における上側水平ワイヤ１６の端部、並びに、支柱１の上端部について、詳細に示す。図示の位置・姿勢において、側壁５の上方部分１３は、次の状態となるまで持ち上げられている。すなわち、支柱１の中空形材における側壁５側の壁１８に設けられた上向きに開いた抜き部１７から、上側水平ワイヤ１６が抜け出して、支柱１から完全に外れた状態にまで、持ち上げられている。上側水平ワイヤ１６の各端部は、フック形の下を向いた屈曲部１９を形成すべく、下向きに直角に曲げられている。側壁５の上方部分１３が支柱１にフック係止されるのであれば、上方部分１３が図３に示された位置・姿勢から降下して、上側ワイヤ１６の端部が上方から抜き部１７中に差し込まれる。このようにして、上側ワイヤ１６が支柱１の内面に係合するのであり、屈曲部１９は、支柱１の内面にて、抜き部１７の下側で、側壁５側の壁１８に裏側から係合する。すなわち、図１の右上部分に示されているように係合する。屈曲部１９が抜き部１７を通じて支柱１の内面にこのように係合することは、支柱１を、外向きに振れ動かないように固定することとなり、これにより、販売台の耐変形構造に寄与する。
【００２１】
図４（ａ）及び（ｂ）は、キャップ８についての、相互に垂直な２つの方向からの側面図である。図４（ｃ）はキャップ８の上面図である。キャップ８には、実質的に水平な蓋（ふた）板２０と、これから下方へと突き出す脚状の４つのフランジ２１とが備えられる。キャップ８が支柱１の上端に取り付けられる際、蓋板２０が支柱１の中空形材に上方から覆いかぶさり、４つのフランジ２１は締め付けられつつ中空形材に係合する。これらフランジは、抜き部１７を塞がないように形成される。したがって、上側ワイヤ１６が抜き部１７に噛み合っている状態で、キャップ８を支柱１に嵌め込むことができる。この実施形態において、蓋板２０には、キャップ８が支柱１に嵌め込まれた際に、上方へ開いた抜き部１７を覆うこととなる箇所に、切り取り部２２を有する。切り取り部２２は、上側ワイヤ１６が抜き部１７に掛け止めされる際、及び、抜き部との掛け止めから外れ出る際に、屈曲部１９が通過するのを可能にする。そのため、切り取り部２２は、キャップ８が支柱１に嵌め込まれたままの状態で側壁５の上方部分１３を折り畳むのを可能にする。
【００２２】
また、図１及び図３に示されているように、支柱１における上記の壁１８に垂直の向きの壁には、上方へと開いたもう一つの抜き部１１７と、もう一つの長孔１１５とが備えられる。抜き部１１７及び長孔１１５は、不図示である、もう一つの（不図示の）側壁を取り付けて固定するのに役立つ。この側壁は、上記側壁５の上方部分１３が長孔１５及び抜き部１７に掛け止めされるのと同じ具合に、抜き部１１７及び長孔１１５に掛け止めされる。キャップ８の蓋板２０は抜き部１１７に覆いかぶさる。抜き部１１７の箇所には、抜き部１７の箇所の切り取り部２２のような切り取り部が備えられないからである。したがって、もう一つの（不図示の）側壁が、思いがけなく持ち上げられるということが防がれている。このもう一つの側壁は、キャップ８を取り外した後に初めて、掛け止めから外すことができる。キャップ８の取り外しは、典型的には販売台を分解する際に行われるのであり、支柱１と枠材２との間のネジ接続が解除され、販売台が完全にばらばらに分解される際であっても行われる。
【００２３】
上述の抜き部１７，１１７及び屈曲部１９は、販売台における、製造が容易で頑丈な構成部分である。しかしながら、これらの抜き部１７，１１７及び屈曲部１９は、側壁と支柱１との間に頑丈で剛直な接続を実現する。また、側壁５の上方部分１３が折り畳まれる際、及び、販売台の組立及び分解の際、販売台の取り扱いをシンプルにすることを可能にする。上述したように、側壁５の上方部分１３は、シンプルな操作で抜き部１７との掛け止めを外して折り畳むことができる。また、さらなる数回の操作だけで、販売台を完全にばらばらにするか、または、再度組み立てることができる。
【符号の説明】
【００２４】
１…垂直支柱；            ２…枠材；            ３…キャスター；  
４…物品収容スペース；    ５…側壁；            ６…水平ワイヤ；  
７…底部；                ８…キャップ；        ９…下方部分；  
１０…水平ワイヤ；        １１，１２…孔；      １３…上方部分；  
１４…下側水平ワイヤ；    １５，１１５…長孔；  １６…上側水平ワイヤ；  
１７，１１７…抜き部；    １８…壁；            １９…フック形屈曲部；  
２０…蓋（ふた）板；      ２１…フランジ；      ２２…切り取り部。
【図１】
2013528078.tif 000003
【図２】
2013528078.tif 000004
【図３】
2013528078.tif 000005
【図４】
2013528078.tif 000006
【国際調査報告】
2013528078.tif 000007
2013528078.tif 000008
2013528078.tif 000009
2013528078.tif 000010